(57)【要約】【課題】停電時に暗闇の中で操作をする場合や弱視の人が操作をする場合等において、開閉器の種類や用途を容易に判別可能とした分電盤を提供すること。【解決手段】複数の開閉器２を収納した分電盤において、少なくとも一つの開閉器２ａの操作部３に、他の開閉器２ｂの操作部３と形状が異なる識別部４を設けて、複数の開閉器２ａ、２ｂの種類または用途を判別可能とした。また識別部４は、操作部３に着脱自在に取付けられる装着部材５に形成することが好ましい。【選択図】図１
2017073927.tif 000002
【特許請求の範囲】
【請求項１】
複数の開閉器を収納した分電盤において、
少なくとも一つの開閉器の操作部に、他の開閉器の操作部と形状が異なる識別部を設けて、
複数の開閉器の種類または用途を判別可能としたことを特徴とする分電盤。
【請求項２】
前記識別部を、前記操作部に着脱自在に取付けられる装着部材に形成したことを特徴とする請求項１記載の分電盤。
【請求項３】
前記識別部が設けられた開閉器を少なくとも一つ含む複数の開閉器を列状に並べて配置したことを特徴とする請求項１または２記載の分電盤。
【請求項４】
前記装着部材を、複数の開閉器の互いに略同一の外形を有する前記操作部に設けたことを特徴とする請求項２記載の分電盤。
【請求項５】
前記識別部を、回動される操作部がオフ状態のときに分電盤の開口側に臨む一面に設けたことを特徴とする請求項１乃至４の何れかに記載の分電盤。
【発明の詳細な説明】
【技術分野】
【０００１】
本発明は、複数の開閉器を内部に収納した分電盤に関するものである。
【背景技術】
【０００２】
分電盤の内部には、主幹ブレーカ、主幹ブレーカに接続される分岐ブレーカ、非常電源用の一次送りブレーカといった複数の開閉器が収納されている（特許文献１）。
【０００３】
しかしながら、上記構造では、停電時に暗闇の中で手動操作により開閉器をオンにする必要が生じた場合、どの開閉器のハンドルを操作すれば良いかを正確に把握することが困難であるという問題があった。また、停電時以外にも、例えば弱視の人が前記操作をする場合等においても同様の問題が生じていた。
【先行技術文献】
【特許文献】
【０００４】
【特許文献１】特開２００３−１１１２１５号公報
【発明の概要】
【発明が解決しようとする課題】
【０００５】
本発明の目的は前記した従来の問題点を解決し、停電時に暗闇の中で操作をする場合や弱視の人が操作をする場合等において、開閉器の種類や用途を容易に判別可能とした分電盤を提供することである。
【課題を解決するための手段】
【０００６】
上記課題を解決するためになされた本発明は、複数の開閉器を収納した分電盤において、少なくとも一つの開閉器の操作部に、他の開閉器の操作部と形状が異なる識別部を設けて、複数の開閉器の種類または用途を判別可能としたことを特徴とするものである。
【０００７】
請求項２記載の発明は、請求項１記載の分電盤において、前記識別部を、前記操作部に着脱自在に取付けられる装着部材に形成したことを特徴とするものである。
【０００８】
請求項３記載の発明は、請求項１または２記載の分電盤において、前記識別部が設けられた開閉器を少なくとも一つ含む複数の開閉器を列状に並べて配置したことを特徴とするものである。
【０００９】
請求項４記載の発明は、請求項２記載の分電盤において、前記装着部材を、複数の開閉器の互いに略同一の外形を有する前記操作部に設けたことを特徴とするものである。
【００１０】
請求項５記載の発明は、請求項１乃至４の何れかに記載の分電盤において、前記識別部を、回動される操作部がオフ状態のときに分電盤の開口側に臨む一面に設けたことを特徴とするものである。
【発明の効果】
【００１１】
本発明に係る分電盤は、少なくとも一つの開閉器の操作部に、他の開閉器の操作部と形状が異なる識別部を設けて、複数の開閉器の種類または用途を判別可能とした。これにより、停電時に暗闇の中で操作をする場合や弱視の人が操作をする場合等において、識別部の有無または識別部の形状若しくはサイズ等を触感によって確認することで、開閉器の種類（主幹ブレーカ／分岐ブレーカ／一次送りブレーカ等）や用途（接続機器等）を容易に判別することができるものとなる。
【００１２】
請求項２に係る発明は、識別部を操作部に着脱自在に取付けられる装着部材に形成したものである。これにより、既設の開閉器に対して装着部材を取付けることができるため、開閉器を新たなものと交換する必要がない。また、同一規格、同一外形の開閉器において、識別部を設けた操作部と識別部を設けない操作部とを作り分ける必要がなく、コストを削減することができる。
【００１３】
また、従来は複数の開閉器を列状に並べた場合に、それらの種類、用途の判別が困難であったが、請求項３に係る発明によれば、識別部が設けられた開閉器を少なくとも一つ含む複数の開閉器を列状に並べて配置することで、これら複数の開閉器の判別を容易に行うことができるものとなる。
【００１４】
請求項４に係る発明のように、装着部材を、複数の開閉器の互いに略同一の外形を有する操作部に設けるものとすれば、従来技術では判別が困難であった同一規格、同一外形の開閉器の用途を容易に判別できるものとなる。また、共通の装着部材を用いることができる利点も備えるものとなる。
【００１５】
請求項５に係る発明のように、識別部を、回動される操作部がオフ状態のときに分電盤の開口側に臨む一面に設けることで、触感によって目的とする開閉器のハンドルがオン状態であるのかまたはオフ状態であるのかを、容易に判別することができるものとなる。
【図面の簡単な説明】
【００１６】
【図１】本実施形態を示す全体斜視図である。
【図２】開閉器の斜視図である。
【図３】図３における装着部材の分解図である。
【図４】操作部に識別部を形成した実施形態である。
【図５】識別部のその他の実施形態である。
【図６】実施例１を示す図である。
【図７】実施例２を示す図である。
【図８】実施例３を示す図である。
【図９】実施例４を示す図である。
【図１０】実施例５を示す図である。
【図１１】実施例６を示す図である。
【図１２】実施例７を示す図である。
【図１３】実施例８を示す図である。
【図１４】実施例９を示す図である。
【発明を実施するための形態】
【００１７】
以下に本発明の好ましい実施形態を示す。
図１に示す分電盤１の内部には、ブレーカ等の複数の開閉器２が収納されている。図２のように、開閉器２の操作部３の上端には、凹凸を形成することにより構成された識別部４が設けられている。またこの識別部４は、図３のように操作部３に対して着脱自在に取付けられる装着部材５の上面に形成するものとした。装着部材５は例えば樹脂製であり、操作部３に圧入して取付けることができる。
【００１８】
ここで、図１のように、図中左側の開閉器２ａに識別部４を設けるものとし、さらに図中中央及び右側の開閉器２ｂには、識別部４を設けないものとした。識別部４は、各開閉器２の種類（主幹ブレーカ／分岐ブレーカ／一次送りブレーカ等）や用途（接続機器等）に応じて、任意の開閉器２に設けることができるものとしている。以上のような構成とすることにより、停電時に暗闇の中で操作をする場合や弱視の人が操作をする場合等において、使用者が操作部３に触れて識別部４の凹凸の有無を確認することで、開閉器２の種類や用途を容易に判別することができるものとなる。
【００１９】
なお、本実施形態では、開閉器２ａは識別部４を有し、開閉器２ｂは識別部４を有しないものとして、各開閉器２ａ、２ｂの種類、用途を判別できるものとしているが、その他にも、例えばすべての開閉器２に凹凸を有する識別部４を形成した上で、これら識別部４の凹凸形状の種類やサイズ等を異ならせることにより、各開閉器２の種類、用途を判別しても差し支えない。さらには、識別部４は凹凸形状のみに限定されず、例えばその外形が曲面や多角形状を有するものとしても良く、これにより他の開閉器２ｂの操作部３と形状が異なっていれば足りる。
【００２０】
また、識別部４を装着部材５の上面に形成するものとしたことで、分電盤１内の既設の開閉器２に対して装着部材５を取付けることができ、開閉器２を新たなものと交換する必要がないものとなる。また、同一規格、同一外形の開閉器２において、識別部４を設けた操作部３と識別部４を設けない操作部３とを作り分ける必要がなく、コストを削減することができる。さらに、識別部４が設けられた開閉器２ａを少なくとも一つ含む複数の開閉器２ａ、２ｂを列状に並べて配置することにより、従来は困難であった列状に配置された開閉器２の種類、用途の判別を容易に行うことができるものとしている。
【００２１】
また、複数の開閉器２に設けられた、互いに略同一の外形を有する操作部３に対して前記装着部材５を設けるものとすれば、従来技術では判別が困難であった同一規格、同一外形の開閉器２の用途を容易に判別できるものとなる。さらに、共通の装着部材５を用いることができるため、コストを削減することができる利点も備えるものとなる。
【００２２】
また図４のように、識別部４は操作部３の上端に直接形成することもできる。
【００２３】
本実施形態においては、識別部４を操作部３の上部に設けるものとしたが、その他にも図５に示すように、回動する操作部３がオフ状態のときに分電盤の開口側（図中左側）に臨む一面に識別部４を設けても差し支えない。これにより、触感によって目的とする開閉器２のハンドルがオン状態であるのかまたはオフ状態であるのかを、容易に判別することができるものとなる。
【００２４】
以上のように、識別部４を任意の開閉器２の操作部３に設けることで、識別部４の有無または識別部４の形状若しくはサイズ等によって開閉器２の種類や用途を容易に判別することができるものとしている。
識別部４の配設パターンについては以下に実施例１〜９として示すが、これらに限定されることはなく、少なくとも１つの識別部４を備えることにより開閉器２の種類や用途が判別可能となる配設パターンであれば足りる。
【００２５】
（実施例１）
図６のように、分電盤６内には主幹ブレーカ７と複数の分岐ブレーカ８が設けられている。そして、主幹ブレーカ７に前述した識別部４を設けるものとしている。なお、以下全ての実施例において、アスタリスク（＊）が付された開閉器に凹凸状の識別部４が設けられている。
【００２６】
例えば使用電力オーバに起因して主幹ブレーカ７がトリップして停電したときには、図６（ａ）の状態となる。ここで、図６（ｂ）のように主幹ブレーカ７をオンとする操作を行う場合、識別部４の有無により主幹ブレーカ７と分岐ブレーカ８とを区別することができる。
【００２７】
（実施例２）
図７のように、分電盤６内に、主幹ブレーカ７、分岐ブレーカ８、及び一次送りブレーカ９を備えている。なお、識別部４は主幹ブレーカ７に設けるものとしている。ここで、図７（ａ）に示す主幹ブレーカ７がトリップして停電したときに、図７（ｂ）のように主幹ブレーカ７をオンとする操作を行う場合、識別部４の有無により主幹ブレーカ７を一次送りブレーカ９及び分岐ブレーカ８と区別することができる。
【００２８】
（実施例３）
図８に示すように、複数の分岐ブレーカ８のうち、使用優先度の低い分岐ブレーカ８ａに識別部４を設けるものとしても良い。これにより、使用電力量オーバにより主幹ブレーカ７がトリップして停電したときにおいて、優先度が低い、即ちオフにしても差し支えない分岐ブレーカ８ａを主幹ブレーカ７及びその他の分岐ブレーカ８ｂと区別することができる。
【００２９】
（実施例４）
図９は、実施例３とは反対に、使用優先度が高い分岐ブレーカ８ａに識別部４を設けたものである。これにより、使用電力量オーバにより主幹ブレーカ７がトリップして停電したときにおいて、優先度が高い、即ち冷蔵庫等に給電しており、優先的にオンのままにする必要がある分岐ブレーカ８ａをその他の分岐ブレーカ８ｂと区別することができる。
【００３０】
（実施例５）
図１０は、複数の分岐ブレーカ８内でさらに使用優先度を区分し、例えば使用優先度が高い順に、識別部４の形成数を１乃至３としたものである。これにより、使用優先度が高い順に分岐ブレーカ８ａ、８ｂ、８ｃを区別することができる。
【００３１】
（実施例６）
図１１に示すこの実施例では、主幹ブレーカ７に識別部４が設けてあり、地震等により系統側が停電した場合を想定している。系統側が停電した場合には、図１１のように主幹ブレーカ７はオンとなったままである。この場合、ヒータ等が転倒した状態で復電がなされると、火災等の二次災害を誘発する恐れがある。そこで、識別部４の有無によりオフ操作すべき主幹ブレーカ７を分岐ブレーカ８と区別することができる。
【００３２】
（実施例７）
図１２は、実施例６の分岐ブレーカ８内で、ヒータ等のオフにすべき優先度が高い機器に給電している分岐ブレーカ８ａに識別部４を形成したものである。このような構成においても、実施例６と同様に、識別部４の有無によりオフ操作すべき分岐ブレーカ８ａをその他の分岐ブレーカ８ｂと区別することができる。
【００３３】
（実施例８）
図１３は、単相三線や三相三線等の各系統が独立している例である。ここで、例えば図中中央の系統はその時点で未使用であるといった場合（即ち開閉器２ｂが常時オフである場合）、図１３（ａ）の使用状態から、電力オーバ等により図中左側の開閉器２ａがオフとなった場合には、図１３（ｂ）に示す状態となる。ここで、従来の構造では開閉器２ａ、２ｂのどちらをオンとすべきか使用者は判別できないが、この実施例のように、使用している開閉器２ａに識別部４を設けておくことで、この使用している開閉器２ａを未使用の開閉器２ｂと区別することができる。
【００３４】
（実施例９）
図１４のように、分電盤６内の上側に単相三線の電灯系を配置し、下側に三相三線の動力系を配置した場合に、電灯系の主幹ブレーカ７ａ及び分岐ブレーカ８ａにのみ識別部４を設け、電灯系を動力系と区別可能とするものとしても良い。
【符号の説明】
【００３５】
１  分電盤
２  開閉器
３  操作部
４  識別部
５  装着部材
６  分電盤
７  主幹ブレーカ
８  分岐ブレーカ
９  一次送りブレーカ
【図５】
2017073927.tif 000003
【図６】
2017073927.tif 000004
【図７】
2017073927.tif 000005
【図８】
2017073927.tif 000006
【図９】
2017073927.tif 000007
【図１０】
2017073927.tif 000008
【図１１】
2017073927.tif 000009
【図１２】
2017073927.tif 000010
【図１３】
2017073927.tif 000011
【図１４】
2017073927.tif 000012
【図１】
2017073927.tif 000013
【図２】
2017073927.tif 000014
【図３】
2017073927.tif 000015
【図４】
2017073927.tif 000016